(57)【特許請求の範囲】
【請求項１】
少なくとも電源ケーブル及び送り配線用ケーブルが接続される主接続部と、負荷あるいは配線器具に接続される複数の分岐ケーブルが接続される副接続部とを備えた複数のブロックにて構成される配線装置であって、主接続部として電源接続用と送り配線用の接続部を有すると共に副接続部として送り配線用の接続部を有するブロックと、主接続部として電源接続用と送り配線用の接続部を有すると共に副接続部として片切りスイッチ接続用と負荷接続用の接続部を有するブロックと、主接続部として電源接続用と送り配線用の接続部を有すると共に副接続部として二つの３路スイッチ用の接続部と負荷接続用の接続部とを有するブロックとの、３種のブロックにて構成され、速結端子を収納配置して上記主接続部と副接続部とを形成し、各接続部に各接続部の種別を表示する識別手段を設け、造営面にブロックを固定するための固着具が挿入されるネジ貫通孔をブロックの中央部に一か所設けて成ることを特徴とする配線装置。
【発明の詳細な説明】
【０００１】
【産業上の利用分野】
本発明は、マンションなどの屋内配線に用いられる配線装置に関するものである。
【０００２】
【従来の技術】
従来のマンションなどの屋内配線では、ブランチケーブルを用いて全ての分岐回路を分岐させるようにしていた。
【０００３】
【発明が解決しようとする課題】
しかし、上述のような従来例にあっては、施工する部屋によって照明器具などの負荷やスイッチやコンセントなどの配線器具のレイアウトが異なる毎に専用のブランチケーブルを用意しなければならないという問題があった。
本発明は上述の点に鑑みて為されたものであり、その目的とするところは、電源ケーブルや送り配線用ケーブルや分岐ケーブル等のケーブルを直接的に接続することができて現場での作業を簡略化することができる配線装置を提供することにある。
【０００４】
【課題を解決するための手段】
本発明では、上記目的を達成するために、少なくとも電源ケーブル及び送り配線用ケーブルが接続される主接続部と、負荷あるいは配線器具に接続される複数の分岐ケーブルが接続される副接続部とを備えた複数のブロックにて構成される配線装置であって、主接続部として電源接続用と送り配線用の接続部を有すると共に副接続部として送り配線用の接続部を有するブロックと、主接続部として電源接続用と送り配線用の接続部を有すると共に副接続部として片切りスイッチ接続用と負荷接続用の接続部を有するブロックと、主接続部として電源接続用と送り配線用の接続部を有すると共に副接続部として二つの３路スイッチ用の接続部と負荷接続用の接続部とを有するブロックとの、３種のブロックにて構成され、速結端子を収納配置して上記主接続部と副接続部とを形成したのものである。
【０００５】
また、各接続部に各接続部の種別を表示する識別手段を設けるようにするものである。
また、造営面にブロックを固定するための固着具が挿入されるネジ貫通孔をブロックの中央部に一か所設けるようにするものである。
【０００６】
【作用】
しかして、主接続部及び副接続部に接続される電源ケーブルや送り配線ケーブルや分岐ケーブル等のケーブルは芯線を速結端子に挿入するようにして接続することで直接的に手間取ることなく簡易に配線装置に接続することができるものであり、現場での電線接続作業を手間取ることなく簡易に行なうことができる。
【０００７】
【実施例】
本発明の配線装置１は、図１に示すように、照明器具などの負荷２、スイッチやコンセントなどの配線器具３，４に電源を分岐して供給するものであり、屋内の各所（例えば、屋内の各ゾーン毎）に設けられる。
本実施例の場合には、配線装置１を用途に応じてブロック化して形成してあり、電源ラインを複数分岐する場合に用いられる送り配線用のブロック１ａ、１つのスイッチ４の切換操作で負荷２をオン，オフさせる場合に用いられる片切りスイッチ回路用のブロック１ｂ，及び２つのスイッチ４の切換操作で負荷２をオン，オフさせる場合に用いられる３路スイッチ回路用のブロック１ｃにブロック分けしてある。
【０００８】
各ブロック１ａ〜１ｃには、電源ケーブル５または送り配線用ケーブル６を接続するための主接続部７が設けられており、主接続部７と隣合うように主接続部７の隣には負荷２や配線器具３，４との間の接続を行う分岐ケーブル８を接続するための副接続部９が設けられている。主接続部７と副接続部９には各接続部の種別を表示する識別手段１０が設けられており、各ケーブルに対応した接続部の位置を一目で容易に知ることができ、正しい接続作業を手間取ることなく容易に行えるようになっている。この識別手段としては各接続部に「電源」、「送り」、「片切りスイッチ用」、「３路スイッチ用」のいずれかの文字が記載されており、この文字表示１０ａによって形成されている。
【０００９】
主接続部７は電源ケーブル５が接続される主接続部７ａと、送り配線用ケーブル９が接続される主接続部７ｂとで構成されている。ここで、ブロック１ｂ，１ｃにおいては送り配線用ケーブル６が接続される主接続部７ｂのみが設けられている。
主接続部７と副接続部９内には速結端子１００が収納配置されており、主接続部７及び副接続部９に接続される電源ケーブル５や送り配線用ケーブル６や分岐ケーブル８等のケーブルは芯線を速結端子に挿入して接続することで直接的に手間取ることなく簡易に接続できるようになっている。
【００１０】
ブロック１ａ，１ｂは、基本的な構造はほぼ同一であるので、図３、図４に示されるブロック１ｂの構造に基づいて説明する。このブロック１ｂのハウジング１１は、合成樹脂製のボディ１１ａとカバー１１ｂとで構成されている。これらボディ１１ａとカバー１１ｂとの固定は、はとめ孔１２ａ，１２ｂを通してはとめ１３をかしめて一体に組み合わされる。このハウジング１１の一端部に形成された主接続部７ａは、電源ケーブル５の先端部を挿入する挿入口１４と、この挿入口１４内に配設された速結端子１００とで構成されている。この電源ケーブル５としては、例えば単相３線のものが用いられる。速結端子１００はハウジング１１内に凹設された嵌合溝１５内に嵌め込まれる端子金具１０１と鎖錠バネ１０２とで構成されており、電気的に対応する端子金具１０１同士は導電板１６にて接続されるようになっている。１７は速結端子１００に接続されたケーブルの接続を解除するための解除釦であり、カバー１１ｂに設けられた挿入孔１８より治具を挿入して操作できるようになっている。
【００１１】
ハウジング１１の他端部に形成された主接続部７ｂは、上記した主接続部７ａと同じ構造とされており、送り配線用ケーブル６の先端部を挿入する挿入口１４と、この挿入口１４内に配設された速結端子１００とで構成されている。
ブロック１ｂの一端部からは、主接続部７と隣合うように１つの副接続部９を突設すると共に、他端部からは主接続部７と隣合うように１つの副接続部９を突設してある。この副接続部９においても分岐ケーブル８の先端を挿入する挿入口１４と、この挿入口１４内に配設された速結端子１００とで形成されている。
【００１２】
図５、図６に示されるブロック１ｃにおいてはハウジング１１の側面からも副接続部９を突設してある。
上記各ブロック１ａ〜１ｃのハウジング１１の中央部には造営面２０にブロック１ａ〜１ｃを固定するための固着具２１が挿入されるネジ貫通孔２２が一か所設けてあり、他の固定金具を用いることなく１本の取り付けネジ２１によって簡単且つ確実にハウジング１１を造営面２０に固定することができるようになっている。また、固定部分を一か所としてあることでブロック１ａ〜１ｃの外径寸法を小さくできるようになっている。
【００１３】
以下に、本発明の配線装置１を用いた屋内配線方法について説明する。
図１の場合には、ブロック１ａで電源ラインを２分岐し、一方の分岐端をブロック１ｂに接続し、他方の分岐端にコンセント３を接続してある。また、ブロック１ｂでは電源ラインを３分岐し、第１の分岐端をブロック１ｃに接続し、第２の分岐端には負荷２としての壁に設けられたベッド照明が接続され、第３の分岐端にはベッド３１の近傍の壁面に配置されたスイッチ４が接続してある。また、ブロック１ｃでは電源ラインを４分岐し、第１の分岐端を天井に設けられた負荷２としての照明器具に接続し、第２の分岐端にはコンセント３を接続してある。さらに、第３の分岐端は部屋の入口のドア３０の近傍に設けたスイッチ４に接続され、第４の分岐端はベッド３１の近傍の壁面に配置されたスイッチ４に接続してあり、いずれのスイッチ４によっても照明器具の点灯制御が行えるようにしてある。このように本実施例の配線装置を用いて屋内配線を行えば、専用のブランチケーブルを用いたりすることなく負荷２や配線器具３，４に接続される分岐ケーブル８の接続及び電源ケーブル５や送り配線用ケーブル６の接続を速結端子１００を介して簡易に行うことができ、容易に配線作業が行える。
【００１４】
また、この屋内配線方法を採用すれば、部屋の間取りや配線器具の設置箇所が決まっているマンションなどにおいて、現場では各ケーブルを速結端子１００を介していずれかのブロック１ａ〜１ｃに接続するだけであるので、各ケーブルは芯線を各接続部に挿入して速結端子１００に係止するだけで接続を完了することができるものであり、照明器具などの負荷２、スイッチやコンセントなどの配線器具３，４のレイアウトが決まる前に先行的に幹線部を接続しておき、レイアウト決定後に接続を行なうことができ、内装業者レベルでコンセントの施設が可能になるものである。また、各ブロック１ａ〜１ｃを屋内の各所に予め設置しておき、長さの異なるケーブルを予め用意しておけば、屋内配線を自在に行うことができ、部屋の間取りの変更や配線器具の設置場所を変更する場合等にも容易に対応させることができる。
【００１５】
ところで、上述の説明においては天井配線により屋内配線を行う場合について説明したが、本発明は事務所などで適用されるいわゆるシステムフロアと呼ばれる二重床構造の床などを用いた床配線や壁面を用いた配線などにも適用でき、さらにはＯＡパネル等の什器内の内部配線にも応用することができる。
【００１６】
【発明の効果】
本発明は上述のように、少なくとも電源ケーブル及び送り配線用ケーブルが接続される主接続部と、負荷あるいは配線器具に接続される複数の分岐ケーブルが接続される副接続部とを備えた複数のブロックにて構成され、速結端子を収納配置して上記主接続部と副接続部とを形成しているので、専用のブランチケーブルを用意したりすることなく各接続部に接続される各ケーブルは芯線を速結端子に挿入するようにして接続することで直接的に手間取ることなく簡易に配線装置に接続することができるものであり、現場での電線接続作業を手間取ることなく簡易に行なうことができるものである
また、この配線装置は、主接続部として電源接続用と送り配線用の接続部を有すると共に副接続部として送り配線用の接続部を有するブロックと、主接続部として電源接続用と送り配線用の接続部を有すると共に副接続部として片切りスイッチ接続用と負荷接続用の接続部を有するブロックと、主接続部として電源接続用と送り配線用の接続部を有すると共に副接続部として二つの３路スイッチ用の接続部と負荷接続用の接続部とを有するブロックとの、３種のブロックにて構成されるため、このような３種のブロックを組み合わせて種々の配線設計に対応することができるものである。
【００１７】
また、各接続部に各接続部の種別を表示する識別手段を設けるようにしてあるので、各ケーブルに対応した接続部の位置を一目で容易に知ることができ、正しい接続作業を手間取ることなく容易に行うことができるものであり、施工時間を短縮することができるものである。
また、造営面にブロックを固定するための固着具が挿入されるネジ貫通孔をブロックの中央部に一か所設けるようにしてあるので、他の固定金具を用いることなく１本の取り付けネジによって簡単且つ確実にブロックを造営面に固定することができるものである。また、固定部分を一か所としてあることでブロックの外径寸法を小さくすることができるものである。
【図面の簡単な説明】
【図１】本発明の配線装置を用いた屋内配線方法を説明する説明図である。
【図２】各ブロックを示す斜視図である。
【図３】ブロックの一実施例を示す斜視図である。
【図４】同上の分解斜視図である。
【図５】他のブロックを示す斜視図である。
【図６】同上の分解斜視図である。
【符号の説明】
１  配線装置
１ａ，１ｂ，１ａ  ブロック
３  配線器具
４  配線器具
５  電源ケーブル
６  送り配線用ケーブル
７  主接続部
８  分岐ケーブル
９  副接続部
１００  速結端子
【図１】
0003602548.tif 000002
【図２】
0003602548.tif 000003
【図３】
0003602548.tif 000004
【図４】
0003602548.tif 000005
【図５】
0003602548.tif 000006
【図６】
0003602548.tif 000007